(57)【特許請求の範囲】
【請求項１】
入力された印刷用紙サイズ指示を印刷ジョブの属性情報として管理し、該管理された属性情報に基づいて印刷ジョブの実行を制御する印刷制御方法において、
印刷装置における印刷可能な用紙サイズを前記印刷装置の属性情報として蓄積し、
前記印刷ジョブの属性情報と前記印刷装置の属性情報との比較に基づいて前記印刷ジョブが実行可能な印刷装置を検索し、
実行可能な印刷装置を検索できた場合、検索した実行可能な印刷装置に前記印刷ジョブを割り当て、
実行可能な印刷装置を検索できなかった際に、
前記印刷ジョブを割り当て可能な空き印刷装置が設定台数より少ない間は、前記印刷ジョブが実行可能な印刷装置の検索を繰り返して行い、
前記空き印刷装置の台数が前記設定台数より多くなる場合、実行不可能な印刷装置に前記印刷ジョブを割り当てる
ことを特徴とする印刷制御方法。
【請求項２】
入力された印刷指示を印刷ジョブの属性情報として管理し、該管理された属性情報に基づいて印刷ジョブの実行を制御する制御手段とを具備する印刷制御装置において、
印刷装置における印刷可能な用紙サイズを前記印刷装置の属性情報として蓄積する印刷装置属性蓄積手段と、
前記印刷ジョブの属性情報と前記印刷装置の属性情報との比較に基づいて前記印刷ジョブが実行可能な印刷装置を検索する検索手段と、
前記検索手段で実行可能な印刷装置を検索できた場合、検索した実行可能な印刷装置に前記印刷ジョブを割り当て、前記検索手段で実行可能な印刷装置を検索できない場合、実行不可能な印刷装置に前記印刷ジョブを割り当てるジョブ制御手段と
を具備し、
前記検索手段は、
前記印刷ジョブを割り当て可能な空き印刷装置が設定台数より少ない間は、前記印刷ジョブが実行可能な印刷装置の検索を繰り返して行い、
前記ジョブ制御手段は、
前記空き印刷装置の台数が前記設定台数より多くなる場合、前記実行不可能な印刷装置に前記印刷ジョブを割り当てる
ことを特徴とする印刷制御装置。
【発明の詳細な説明】
【０００１】
【発明の属する技術分野】
本発明は、印刷制御装置および印刷制御方法に関し、特に、印刷ジョブの属性情報に応じて印刷順序の制御および出力する印刷装置の選択を行う印刷制御装置および印刷制御方法に関する。
【０００２】
【従来の技術】
従来、ネットワーク等に接続されたパーソナルコンピューター等の外部装置から供給された印刷データを印刷ジョブとして制御する印刷制御装置がある。ここで、印刷制御装置は印刷ジョブから出力に使用する用紙サイズを判断し、ネットワーク等に接続された複数の印刷装置の中から上記用紙サイズを出力することが可能な印刷装置に対して印刷ジョブを割り当てている。
【０００３】
【発明が解決しようとする課題】
しかし、出力に使用する用紙サイズが印刷可能な印刷装置が存在しない場合、印刷ジョブは印刷装置に割り当てられず、印刷されないままになるという問題が発生してしまう。
【０００４】
また、印刷ジョブから出力に使用する用紙サイズを判断せずに印刷ジョブを無条件で印刷装置に割り当て、割り当てられた印刷装置が印刷データの用紙サイズを出力することが不可能な場合、印刷装置にアラート（例えば、ビープ音や印刷装置のコンソール画面へのメッセージ等）が発生することになり、この間、印刷装置は他の印刷ジョブを実行することができないために印刷装置の使用効率が低下するという問題が発生してしまう。
【０００５】
そこで、本発明は、印刷ジョブの属性情報を判断し、印刷ジョブの処理順序の制御および出力するネットワーク等で接続された印刷装置に割り当てる制御を行うことで、柔軟かつ効率が良い印刷制御装置および印刷制御方法を提供することを目的とする。
【０００６】
【課題を解決するための手段】
上記目的を達成するため、請求項１の発明は、入力された印刷用紙サイズ指示を印刷ジョブの属性情報として管理し、該管理された属性情報に基づいて印刷ジョブの実行を制御する印刷制御方法において、印刷装置における印刷可能な用紙サイズを前記印刷装置の属性情報として蓄積し、前記印刷ジョブの属性情報と前記印刷装置の属性情報との比較に基づいて前記印刷ジョブが実行可能な印刷装置を検索し、実行可能な印刷装置を検索できた場合、検索した実行可能な印刷装置に前記印刷ジョブを割り当て、実行可能な印刷装置を検索できなかった際に、前記印刷ジョブを割り当て可能な空き印刷装置が設定台数より少ない間は、前記印刷ジョブが実行可能な印刷装置の検索を繰り返して行い、前記空き印刷装置の台数が前記設定台数より多くなる場合、実行不可能な印刷装置に前記印刷ジョブを割り当てることを特徴とする。
【０００７】
また、請求項２の発明は、入力された印刷指示を印刷ジョブの属性情報として管理し、該管理された属性情報に基づいて印刷ジョブの実行を制御する制御手段とを具備する印刷制御装置において、印刷装置における印刷可能な用紙サイズを前記印刷装置の属性情報として蓄積する印刷装置属性蓄積手段と、前記印刷ジョブの属性情報と前記印刷装置の属性情報との比較に基づいて前記印刷ジョブが実行可能な印刷装置を検索する検索手段と、前記検索手段で実行可能な印刷装置を検索できた場合、検索した実行可能な印刷装置に前記印刷ジョブを割り当て、前記検索手段で実行可能な印刷装置を検索できない場合、実行不可能な印刷装置に前記印刷ジョブを割り当てるジョブ制御手段とを具備し、前記検索手段は、前記印刷ジョブを割り当て可能な空き印刷装置が設定台数より少ない間は、前記印刷ジョブが実行可能な印刷装置の検索を繰り返して行い、前記ジョブ制御手段は、前記空き印刷装置の台数が前記設定台数より多くなる場合、前記実行不可能な印刷装置に前記印刷ジョブを割り当てることを特徴とする。
【００１６】
【発明の実施の形態】
以下、本発明に係わる印刷制御装置および印刷制御方法の実施の形態について添付図面を参照して詳細に説明する。
【００１７】
図１は、本発明に係わる印刷制御装置１０１の基本構成を示す図である。
【００１８】
図１に示すように、本発明に係わる印刷制御装置１０１は、ＬＡＮ等のネットワーク１０２を介してＰＣ（Ｐｅｒｓｏｎａｌ  Ｃｏｍｐｕｔｅｒ）、スキャナーやスキャナーとＰＣとが一体となっているコピー機等のクライアント１０３およびプリンタ１０４−Ａ、１０４−Ｂ、１０４−Ｃが接続され、印刷指示を受け付ける印刷指示受付部１０５、印刷ジョブを管理する印刷ジョブ管理部１０６、プリンタオブジェクト１０８−Ａ、１０８−Ｂ、１０８−Ｃを管理するプリンタ情報管理部１０７、印刷可能なプリンタに対して印刷ジョブを割り当てる制御を行う印刷ジョブスケジューリング部１０９によって構成される。
【００１９】
クライアント１０３は、印刷制御装置１０１に印刷指示を送信する際、出力に使用する用紙サイズ若しくは原稿サイズと拡大・縮小率を指定し、この指定した用紙サイズ若しくは拡大・縮小率が印刷指示として印刷制御装置１０１に送信される。
【００２０】
また、印刷指示受付部１０５は、クライアント１０３から送信された印刷指示を受け付けると印刷ジョブを作成し、印刷指示を印刷ジョブの属性情報として印刷ジョブに格納して印刷ジョブ管理部１０６に送る。この際、印刷指示に原稿サイズと拡大・縮小率が指定されている場合は、拡大若しくは縮小処理した原稿サイズの大きさが最も近似する用紙サイズを算出し、算出した用紙サイズを出力に使用する用紙サイズを印刷ジョブの属性情報として印刷ジョブに格納する。
【００２１】
また、印刷ジョブ管理部１０６は、印刷指示受付部１０５から送られてきた印刷ジョブを管理するとともに、格納された属性情報を検出し、検出した属性情報を記憶する。
【００２２】
また、プリンタ情報管理部１０７は、ネットワーク１０２に接続された各プリンタ１０４−Ａ、１０４−Ｂ、１０４−Ｃに対応するプリンタオブジェクト１０８−Ａ、１０８−Ｂ、１０８−Ｃを管理する。ここで、プリンタオブジェクト１０８−Ａ、１０８−Ｂ、１０８−Ｃには、対応するプリンタ１０４−Ａ、１０４−Ｂ、１０４−Ｃの印刷可能な用紙サイズがプリンタ属性情報として格納されている。
【００２３】
また、ジョブスケジューリング部１０９は、印刷ジョブ管理部１０６で管理されている印刷ジョブの出力に使用する用紙サイズとプリンタ情報管理部１０７で管理されている各プリンタオブジェクト１０８−Ａ、１０８−Ｂ、１０８−Ｃの印刷可能な用紙サイズとを比較し、出力に使用する用紙サイズが印刷可能なプリンタが存在すれば、そのプリンタに対して印刷ジョブを割り当て、出力に使用する用紙サイズが印刷可能なプリンタが存在しなければ、印刷ジョブの出力に使用する用紙サイズの指定を無視して適当なプリンタに対して印刷ジョブを割り当てる。
【００２４】
次に、印刷ジョブスケジューリング部１０９が行う印刷ジョブの割り当ての処理手順について図２のフローチャートを参照して説明する。ここで、出力に使用する用紙サイズをＡ４サイズに指定された印刷ジョブをプリンタＡ、Ｂ、Ｃに割り当てる場合を一例にして説明する。
【００２５】
印刷ジョブスケジューリング部１０９は、印刷ジョブ管理部１０６で管理されている印刷ジョブから属性情報を検出し（ステップＳ２０１）、プリンタＡ、Ｂ、Ｃに対応するプリンタオブジェクトＡ、Ｂ、Ｃからプリンタ属性情報を検出し（ステップＳ２０２）、Ａ４サイズが印刷可能なプリンタの検索を開始する。
【００２６】
印刷ジョブの属性情報とプリンタオブジェクトＡのプリンタ属性情報とを比較し、プリンタＡでＡ４サイズが印刷可能な場合（ステップＳ２０３でＹＥＳ）、プリンタＡに印刷ジョブを割り当て（ステップＳ２０４）、処理手順を終了する。
【００２７】
また、プリンタＡでＡ４サイズが印刷不可能な場合（ステップＳ２０３でＮＯ）、印刷ジョブの属性情報とプリンタオブジェクトＢのプリンタ属性情報とを比較し、プリンタＢでＡ４サイズが印刷可能な場合（ステップＳ２０５でＹＥＳ）、プリンタＢに印刷ジョブを割り当て（ステップＳ２０６）、処理手順を終了する。
【００２８】
また、プリンタＢでＡ４サイズが印刷不可能な場合（ステップＳ２０５でＮＯ）、印刷ジョブの属性情報とプリンタオブジェクトＣのプリンタ属性情報とを比較し、プリンタＣでＡ４サイズが印刷可能な場合（ステップＳ２０７でＹＥＳ）、プリンタＣに印刷ジョブを割り当て（ステップＳ２０８）、処理手順を終了する。
【００２９】
また、プリンタＣでＡ４サイズが印刷不可能な場合（ステップＳ２０７でＮＯ）、印刷ジョブの属性情報である出力に使用する用紙サイズの指定を無視し（ステップＳ２０９）、適当なプリンタに印刷ジョブを割り当て（ステップＳ２１０）、処理手順を終了する。
【００３０】
ここで、出力に使用する用紙サイズの指定を無視して印刷ジョブを割り当てられたプリンタは、印刷不可能な用紙サイズを印刷する印刷ジョブが割り当てられたことを示すアラート等（ビープ音若しくはプリンタのコンソール画面等への表示等）を発生する。
【００３１】
また、ステップＳ２０４、Ｓ２０６、Ｓ２０８において、プリンタＡ、Ｂ、Ｃに印刷ジョブが割り当てられた際に、印刷する用紙サイズの用紙が補給されていない場合、用紙補給を促すアラート等が発生する。
【００３２】
図２のフローチャートに示した処理手順では、指定した用紙サイズが印刷可能なプリンタが無かった際に、出力に使用する用紙サイズの指定を無視して印刷ジョブを適当なプリンタに割り当てているが、他の印刷ジョブが実行されていないプリンタ、クライアント１０３から一番近い場所にあるプリンタ等に割り当てるように予め設定する構成でも良い。
【００３３】
次に、印刷ジョブスケジューリング部１０９が行う印刷ジョブの割り当てにおいて、指定した用紙サイズが印刷可能なプリンタが無かった際に、直に適当なプリンタに印刷ジョブを割り当てるのではなく、一定の条件を満たすまで指定した用紙サイズが印刷可能なプリンタに割り当てるのを試みる構成について説明する。
【００３４】
印刷ジョブスケジューリング部１０９が行う印刷ジョブの割り当てにおいて、設定時間内の間は、指定した用紙サイズが印刷可能なプリンタに割り当てるのを試みる処理手順について図３のフローチャートを参照して説明する。ここで、出力に使用する用紙サイズをＡ４サイズに指定された印刷ジョブをプリンタＡ、Ｂ、Ｃに割り当てることを一例にして説明する。
【００３５】
印刷ジョブスケジューリング部１０９は、印刷ジョブ管理部１０６で管理されている印刷ジョブから属性情報を検出し（ステップＳ３０１）、プリンタＡ、Ｂ、Ｃに対応するプリンタオブジェクトＡ、Ｂ、Ｃからプリンタ属性情報を検出し（ステップＳ３０２）、タイマーがスタートし（ステップＳ３０３）、Ａ４サイズが印刷可能なプリンタの検索を開始する。
【００３６】
印刷ジョブの属性情報とプリンタオブジェクトＡのプリンタ属性情報とを比較し、プリンタＡでＡ４サイズが印刷可能な場合（ステップＳ３０４でＹＥＳ）、プリンタＡに印刷ジョブを割り当て（ステップＳ３０５）、処理手順を終了する。
【００３７】
また、プリンタＡでＡ４サイズが印刷不可能な場合（ステップＳ３０４でＮＯ）、印刷ジョブの属性情報とプリンタオブジェクトＢのプリンタ属性情報とを比較し、プリンタＢでＡ４サイズが印刷可能な場合（ステップＳ３０６でＹＥＳ）、プリンタＢに印刷ジョブを割り当て（ステップＳ３０７）、処理手順を終了する。
【００３８】
また、プリンタＢでＡ４サイズが印刷不可能な場合（ステップＳ３０６でＮＯ）、印刷ジョブの属性情報とプリンタオブジェクトＣのプリンタ属性情報とを比較し、プリンタＣでＡ４サイズが印刷可能な場合（ステップＳ３０８でＹＥＳ）、プリンタＣに印刷ジョブを割り当て（ステップＳ３０９）、処理手順を終了する。
【００３９】
また、プリンタＣでＡ４サイズが印刷不可能な場合（ステップＳ３０８でＮＯ）、タイマーが設定時間を超えていない場合（ステップＳ３１０でＮＯ）、処理を一旦一時停止してステップＳ３０４に戻り、再度印刷ジョブの属性情報とプリンタオブジェクトＡ、Ｂ、Ｃのプリンタ属性情報とを比較する。
【００４０】
また、タイマーが設定時間を超えている場合（ステップＳ３１０でＹＥＳ）、印刷ジョブの属性情報である出力に使用する用紙サイズの指定を無視し（ステップＳ３１１）、適当なプリンタに印刷ジョブを割り当て（ステップＳ３１２）、処理手順を終了する。
【００４１】
ここで、出力に使用する用紙サイズの指定を無視して印刷ジョブを割り当てられたプリンタは、印刷不可能な用紙サイズを印刷する印刷ジョブが割り当てられたことを示すアラート等を発生する。
【００４２】
図３のフローチャートに示した処理手順では、プリンタＡ、Ｂ、Ｃで出力に使用する用紙サイズが印刷不可能な時に、ステップＳ３１０によるタイマーと設定時間との比較を行っているが、各プリンタオブジェクトＡ、Ｂ、Ｃのプリンタ属性情報と印刷ジョブの属性情報との比較毎にタイマーと設定時間との比較する構成でも良い。
【００４３】
次に、印刷ジョブスケジューリング部１０９が行う印刷ジョブの割り当てにおいて、設定回数内の間は、指定した用紙サイズが印刷可能なプリンタに割り当てるのを試みる処理手順について図４のフローチャートを参照して説明する。ここで、出力に使用する用紙サイズをＡ４サイズに指定された印刷ジョブをプリンタＡ、Ｂ、Ｃに割り当てることを一例にして説明する。
【００４４】
印刷ジョブスケジューリング部１０９は、印刷ジョブ管理部１０６で管理されている印刷ジョブから属性情報を検出し（ステップＳ４０１）、プリンタＡ、Ｂ、Ｃに対応するプリンタオブジェクトＡ、Ｂ、Ｃからプリンタ属性情報を検出し（ステップＳ４０２）、カウンターの変数（ＣＯＵＮＴ）を０に設定し（ステップＳ４０３）、Ａ４サイズが印刷可能なプリンタの検索を開始する。
【００４５】
印刷ジョブの属性情報とプリンタオブジェクトＡのプリンタ属性情報とを比較し、プリンタＡでＡ４サイズが印刷可能な場合（ステップＳ４０４でＹＥＳ）、プリンタＡに印刷ジョブを割り当て（ステップＳ４０５）、処理手順を終了する。
【００４６】
また、プリンタＡでＡ４サイズが印刷不可能な場合（ステップＳ４０４でＮＯ）、印刷ジョブの属性情報とプリンタオブジェクトＢのプリンタ属性情報とを比較し、プリンタＢでＡ４サイズが印刷可能な場合（ステップＳ４０６でＹＥＳ）、プリンタＢに印刷ジョブを割り当て（ステップＳ４０７）、処理手順を終了する。
【００４７】
また、プリンタＢでＡ４サイズが印刷不可能な場合（ステップＳ４０６でＮＯ）、印刷ジョブの属性情報とプリンタオブジェクトＣのプリンタ属性情報とを比較し、プリンタＣでＡ４サイズが印刷可能な場合（ステップＳ４０８でＹＥＳ）、プリンタＣに印刷ジョブを割り当て（ステップＳ４０９）、処理手順を終了する。
【００４８】
また、プリンタＣでＡ４サイズが印刷不可能な場合（ステップＳ４０８でＮＯ）、カウンターに１を加えて（ステップＳ４１０）、カウンターが設定回数を超えていない場合（ステップＳ４１１でＮＯ）、処理を一旦一時停止してステップＳ４０４に戻り、再度印刷ジョブの属性情報とプリンタオブジェクトＡ、Ｂ、Ｃのプリンタ属性情報とを比較する。
【００４９】
また、カウンターが設定回数を超えている場合（ステップＳ４１１でＹＥＳ）、印刷ジョブの属性情報である出力に使用する用紙サイズの指定を無視し（ステップＳ４１２）、適当なプリンタに印刷ジョブを割り当て（ステップＳ４１３）、処理手順を終了する。
【００５０】
ここで、出力に使用する用紙サイズの指定を無視して印刷ジョブを割り当てられたプリンタは、印刷不可能な用紙サイズを印刷する印刷ジョブが割り当てられたことを示すアラート等を発生する。
【００５１】
図４のフローチャートに示した処理手順では、プリンタＡ、Ｂ、Ｃで出力に使用する用紙サイズが印刷不可能な時に、ステップＳ４１１によるカウンターと設定回数との比較を行っているが、各プリンタオブジェクトＡ、Ｂ、Ｃのプリンタ属性情報と印刷ジョブの属性情報との比較毎にカウンターと設定回数との比較する構成でも良い。
【００５２】
次に、印刷ジョブスケジューリング部１０９が行う印刷ジョブの割り当てにおいて、空きプリンタ（印刷ジョブを割り当てられていないプリンタ）の台数が設定台数より少ない間は、指定した用紙サイズが印刷可能なプリンタに割り当てるのを試みる処理手順について図５のフローチャートを参照して説明する。ここで、図１において出力に使用する用紙サイズをＡ４サイズに指定された印刷ジョブをプリンタＡ、Ｂ、Ｃに割り当てることを一例にして説明する。
【００５３】
印刷ジョブスケジューリング部１１０は、印刷ジョブ管理部１０６で管理されている印刷ジョブから属性情報を検出し（ステップＳ５０１）、プリンタＡ、Ｂ、Ｃに対応するプリンタオブジェクトＡ、Ｂ、Ｃからプリンタ属性情報を検出し（ステップＳ５０２）、Ａ４サイズが印刷可能なプリンタの検索を開始する。
【００５４】
印刷ジョブの属性情報とプリンタオブジェクトＡのプリンタ属性情報とを比較し、プリンタＡでＡ４サイズが印刷可能な場合（ステップＳ５０３でＹＥＳ）、プリンタＡに印刷ジョブを割り当て（ステップＳ５０４）、処理手順を終了する。
【００５５】
また、プリンタＡでＡ４サイズが印刷不可能な場合（ステップＳ５０３でＮＯ）、印刷ジョブの属性情報とプリンタオブジェクトＢのプリンタ属性情報とを比較し、プリンタＢでＡ４サイズが印刷可能な場合（ステップＳ５０５でＹＥＳ）、プリンタＢに印刷ジョブを割り当て（ステップＳ５０６）、処理手順を終了する。
【００５６】
また、プリンタＢでＡ４サイズが印刷不可能な場合（ステップＳ５０５でＮＯ）、印刷ジョブの属性情報とプリンタオブジェクトＣのプリンタ属性情報とを比較し、プリンタＣでＡ４サイズが印刷可能な場合（ステップＳ５０７でＹＥＳ）、プリンタＣに印刷ジョブを割り当て（ステップＳ５０８）、処理手順を終了する。
【００５７】
また、プリンタＣでＡ４サイズが印刷不可能な場合（ステップＳ５０７でＮＯ）、空きプリンタの台数が設定台数より少ない場合（ステップＳ５０９でＮＯ）、処理を一旦一時停止してステップＳ５０３に戻り、再度印刷ジョブの属性情報とプリンタオブジェクトＡ、Ｂ、Ｃのプリンタ属性情報とを比較する。
【００５８】
また、空きプリンタの台数が設定台数より多い場合（ステップＳ５０９でＹＥＳ）、印刷ジョブの属性情報である出力に使用する用紙サイズの指定を無視し（ステップＳ５１０）、適当なプリンタに印刷ジョブを割り当て（ステップＳ５１１）、処理手順を終了する。
【００５９】
ここで、出力に使用する用紙サイズの指定を無視して印刷ジョブを割り当てられたプリンタは、印刷不可能な用紙サイズを印刷する印刷ジョブが割り当てられたことを示すアラート等を発生する。
【００６０】
図５のフローチャートに示した処理手順では、プリンタＡ、Ｂ、Ｃで出力に使用する用紙サイズが印刷不可能な時に、ステップＳ５０９による空きプリンタの台数と設定台数との比較を行っているが、各プリンタオブジェクトＡ、Ｂ、Ｃのプリンタ属性情報と印刷ジョブの属性情報との比較毎に空きプリンタの台数と設定台数との比較する構成でも良い。
【００６１】
ここで、図１において、ネットワーク１０２を介して接続されたクライアント１０３としてスキャナに置き換え、スキャナで読み込んだ原稿を印刷指示として印刷制御装置１０１に送信する構成にしても良い。この際、スキャナで読み込んだ原稿サイズを自動的に検出し、検出した原稿サイズを印刷指示として送信することができる。更に、スキャナが拡大・縮小率を指示することができるＵＩ（ユーザインターフェース）を具備している場合、指示した拡大・縮小率についても印刷指示として送信することができる。
【００６２】
また、本実施例では、印刷ジョブの属性情報として出力に使用する用紙サイズを指示し、指示された用紙サイズが印刷可能なプリンタに印刷ジョブを割り当てる例を用いて説明したが、印刷ジョブの属性情報として出力に使用する用紙の種類、色等を指示し、指示された用紙の種類、色等が印刷可能なプリンタに印刷ジョブを割り当てる構成でも適用可能である。
【００６３】
【発明の効果】
以上説明したように本発明によれば、印刷ジョブから出力に使用する用紙サイズを判断し、ネットワーク等で接続された複数の印刷装置の中から上記用紙サイズを出力できる印刷装置に割り当てる制御を実行し、この制御が一定条件内に実行できなければ他の印刷装置に印刷ジョブを割り当てる制御を実行することで、柔軟かつ効率の良い印刷制御が行えるという効果を奏する。
【図面の簡単な説明】
【図１】本発明に係わる印刷制御装置１０１の基本構成を示す図である。
【図２】印刷ジョブスケジューリング部１０９が行う印刷ジョブの割り当ての処理手順を示すフローチャートである。
【図３】印刷ジョブスケジューリング部１０９が行う印刷ジョブの割り当てにおいて、設定時間内の間は、指定した用紙サイズが印刷可能なプリンタに割り当てるのを試みる処理手順を示すフローチャートである。
【図４】印刷ジョブスケジューリング部１０９が行う印刷ジョブの割り当てにおいて、設定回数内の間は、指定した用紙サイズが印刷可能なプリンタに割り当てるのを試みる処理手順を示すフローチャートである。
【図５】印刷ジョブスケジューリング部１０９が行う印刷ジョブの割り当てにおいて、空きプリンタの台数が設定台数より少ない間は、指定した用紙サイズが印刷可能なプリンタに割り当てるのを試みる処理手順を示すフローチャートである。
【符号の説明】
１０１    印刷制御装置
１０２    ネットワーク
１０３    クライアント
１０４−Ａ、１０４−Ｂ、１０４−Ｃ    プリンタ
１０５    印刷受付部
１０６    印刷ジョブ管理部
１０７    プリンタ情報管理部
１０８−Ａ、１０８−Ｂ、１０８−Ｃ    プリンタオブジェクト
１０９    印刷ジョブスケジューリング部
【図１】
0003899911.tif 000002
【図２】
0003899911.tif 000003
【図３】
0003899911.tif 000004
【図４】
0003899911.tif 000005
【図５】
0003899911.tif 000006